(57)【要約】  モバイルフォンのコンポーネントおよび／またはアクセサリがモバイルフォンのケース内に納められており、コンポーネントおよびアクセサリを収納したケースが提供される。【選択図】図１
2018521578.tif 000002
【特許請求の範囲】
【請求項１】
モバイル通信機器用のケースであって、前記モバイル通信機器の１つまたは２つ以上のコンポーネントまたはアクセサリを収納している、ケース。
【請求項２】
前記コンポーネントは、是正信号を発生させるコイルを含む、請求項１記載のケース。
【請求項３】
前記コンポーネントは、前記モバイル通信機器によって放出された潜在的に有害な放射の検出に用いられるアンテナを含む、請求項１または２記載のケース。
【請求項４】
前記コンポーネントは、前記ケースの操作を管理するマイクロコントローラである、請求項１〜３のうちいずれか一に記載のケース。
【請求項５】
前記コンポーネントは、データを捕捉するためのデータモジュールを含む、請求項１〜４のうちいずれか一に記載のケース。
【請求項６】
前記コンポーネントは、バッテリまたは追加のバッテリを含む、請求項１〜５のうちいずれか一に記載のケース。
【請求項７】
前記ケースは、追加のコンポーネントとして表示装置を収納している、請求項６記載のケース。
【請求項８】
前記表示装置は、ＬＥＤである、請求項７記載のケース。
【請求項９】
前記モバイル通信機器は、携帯電話である、請求項１〜８のうちいずれか一に記載のケース。
【請求項１０】
請求項１〜９のうちいずれか一に記載のケース内に収納された携帯電話。
【発明の詳細な説明】
【技術分野】
【０００１】
本発明は、携帯型機器、例えば携帯電話や携帯型コンピュータをぴったりと収納するために用いられるケースに関し、特に、本発明は、電話に有用なアクセサリまたはコンポーネントを収納するケースの使用に関する。本発明はまた、コンポーネントおよび／またはアクセサリを収納したケースに関する。
【背景技術】
【０００２】
携帯電話用のケースが周知であり、かかるケースは、保護をもたらすとともに携帯電話の容易な保持および使用を可能にすることが知られている。ケースは、携帯電話の周りに嵌まることが必要であり、また、ケースへの携帯電話の容易な出し入れを可能にする一方で、確実な嵌まり具合を保証する必要がある。ケースは、携帯電話を強打しまたは落下させた場合に携帯電話の衝撃保護を可能にすることが必要である。加うるに、ケースは、接続手段、例えば充電器、ヘッドホンなどを携帯電話に接続することができるようにする必要がある。ケースは、使用の際に容易に保持されるとともに例えばポケットまたはハンドバッグの中に入れて容易に運ぶために軽量でありかつ小型であることが必要である。最後に、ケースは、ケース内の携帯電話を入れ物、例えばユーザのポケットまたはハンドバッグに容易に出し入れすることができるよう低い表面摩擦係数を有することが必要である。携帯電話の周りに折り畳めるケースが携帯電話を滑り嵌めするケースと同様に知られている。
【０００３】
かかるケースの例が欧州特許出願公開第２３９３７３１号明細書に見受けられる。
【先行技術文献】
【特許文献】
【０００４】
【特許文献１】欧州特許出願公開第２３９３７３１号明細書
【発明の概要】
【０００５】
本発明者は今や、携帯電話のコンポーネントおよび／またはアクセサリを携帯電話ハンドセットそれ自体の中にではなくケースの中に入れることができるという知見を得た。
【０００６】
したがって、本発明は、これらの要件を満たすとともにモバイル通信機器の１つまたは２つ以上のコンポーネントまたはアクセサリを収納するケースを提供する。
【０００７】
ケース内に収納できる多くのコンポーネントおよび／またはアクセサリが存在する。例えば、モバイル通信機器により放出される場合のある潜在的に有害的な放射（radiation）を減少させまたはなくすために是正または改善信号（remedial signal）を出すシステムが存在する。是正信号をコイルによって発生させることができ、このコイルは、ケース内に収納できれば有利である。これにより、ワイヤレス充電ならびにケースに対する強度および剛性の提供が可能になる。また、それにより通信機器のバッテリと関連してまたは通信機器のハンドセット内に入れた状態で提供できるコイルよりも大型のコイルであって広い領域をカバーする広い是正の場（field ）の発生を可能にする大型コイルの使用が可能である。
【０００８】
ケース内に収納できる別のコンポーネントは、通信機器により放出される潜在的に有害な放射の検出に使用できるアンテナである。アンテナは、放射レベルをモニタし、一般的な使用をモニタし、料金を確かめることなどのために使用できる。アンテナを通信機器のハンドセット内ではなくケース内に組み込むことにより、アンテナが通信機器から更に離れて配置され、それによりこれら２つ相互間の干渉の恐れが軽減する。
【０００９】
モバイル通信機器の多くの特徴部の作用は、マイクロコントローラにより管理される場合が多く、これはまた、モバイル通信機器のケース内に配置できる。
【００１０】
マイクロコントローラは、モバイル通信機器の電気的特徴のうちの任意のもの、例えばバッテリのワイヤレス充電、バッテリ電力レベルのモニタ、是正信号のターンオンまたはターンオフ、更に潜在的に有害な発生を含むモバイル通信機器の動作の記録の促進を制御することができる。データを捕捉し、更にモバイル通信機器のための追加のデータ、例えば音楽、ファイル、写真、ビデオなどの格納または記憶を可能にするために使用できる任意のデータモジュールもまた、ケース内に設けることができる。
【００１１】
バッテリまたは追加のバッテリパワーをケース内に設けることができ、その目的は、モバイル通信機器の寿命を延ばすことにある。この場合、表示装置、例えばＬＥＤをケース内に設けてモバイル通信機器の種々の観点、例えば充電、是正信号発生、データ記録が動作しているかどうかを指示するのが良い。
【００１２】
ケース内に納められたコンポーネントが永続的コンポーネント、例えばアンテナである場合、このコンポーネントは、ケースの材料がこのコンポーネント周りに射出できる場合に特にケースが射出成形によって形成される場合ケース内に埋め込まれるのが良い。
【００１３】
本発明は、携帯電話用のケースであればどのようなケースにも利用できる。任意のケース、例えば折り畳みケース、滑り嵌めケースなどに利用できる。一実施形態では、ケースは、ベースおよびモバイル通信機器の表面を露出させた状態で携帯型電子機器を包囲するようになった周囲方向に延びる側壁を有するトラフコンポーネントを有する。本出願人の係属中の欧州特許出願第１５０５９０９号明細書によれば、トラフは、横方向可撓性ヒンジを備えるのが良く、この横方向可撓性ヒンジは、トラフコンポーネントを２つの区分に分け、第１の区分を第２の区分中への携帯電話の挿入を可能にするよう変位させることができ、次いで、第１の区分が携帯型電子機器の周りに配置して携帯型電子機器をケース内にしっかりと保持することができる。単一品としてのケースを維持しながら携帯電話を滑らせてケースに出し入れすることができるケースのこの設計は、携帯電話のポートに物理的に結合するケースに利用されると、特に有用である。この種のケースの一例は、バッテリを収容しかつ追加の電力を電話に提供するために電力ポートに結合しなければならないケースである。
【００１４】
好ましい実施形態では、ケースのトラフ形要素の少なくとも幾つかの部分は、衝撃の場合にケースおよびケース内に納められた携帯電話の保護手段となるエラストマー材料とオーバーモールドされるのが良い。特に、側壁および第１の周囲の区分をオーバーモールドするのが良い。エラストマー材料は、使用中に電話を保持する軟質の材料となるとともに滑り止め表面を提供することができる。エラストマー材料はまた、トラフコンポーネントの２つの区分相互間の可撓性結合線となることができ、これら２つの区分は、一緒になって、ケースのトラフコンポーネントを構成し、それによりトラフコンポーネントの２つの区分相互間のヒンジとなる。
【００１５】
トラフコンポーネントの壁とエラストマー覆いの両方は、携帯電話がケース内の定位置にあるときに携帯電話のポートと整列することができる貫通穴を備えるのが良く、その結果、電話ポート、例えば照明用コネクタ、マイクロＵＳＢポート、オーディオジャック、充電器などにアクセスして携帯電話がケース内に位置したままの状態で携帯電話に必要な通信を提供することができる。ヒンジの周りに変位できるケースの第１の区分は、かかるトラフ穴を備えていないことが好ましく、と言うのは、ヒンジ運動により最終的には、貫通穴および電話のいずれかのポートの位置合わせ不良が生じる場合があるからである。しかしながら、ある場合には、電話の特徴部の位置決めでは、穴もまた第１の区分内に存在することが必要な場合がある。
【００１６】
ケースの内側トラフコンポーネントは、好ましくは、硬質の実質的に剛性の材料のものである。内側トラフコンポーネントは、実質的に硬質プラスチック、例えばオレフィンポリマーまたはコポリマー、例えばポリプロピレンまたはエチレン／プロピレンコポリマー、ポリアミド、例えば種々の等級のナイロン、ポリエステル、例えばポリエチレンテレフタレートまたはポリブチレンテレフタレート、熱可塑性ポリウレタンまたはスチレン／ブタジエンコポリマーのものであることが好ましい。追加の強度を提供するためにプラスチックには充填材、例えばガラスまたは炭素繊維が入れられているのが良い。トラフコンポーネントが２つの区分を含む場合、これら区分を同種の材料で作ることが好ましい。さらに好ましい実施形態では、ケースのトラフコンポーネントは、射出成形によって作られる。トラフコンポーネントの側壁は、切欠きを備えなければならずまたはこれら区分がヒンジ線の両端のところで交わるトラフコンポーネントの両側部上の定位置で終端するのが良く、それにより上側の第１の区分を下側の第２の区分に対してヒンジ線回りに変位させることができる。
【００１７】
エラストマー材料を任意適当な技術によってトラフコンポーネント上に設けられるのが良く、オーバーモールド、熱接着および接着剤による結合が好ましい手法であり、オーバーモールディングがより好ましい技術である。エラストマー材料は、天然または合成材料、合成エラストマー、例えばオプションとして特に有用であるアクリロニトリルを含むスチレン／ブタジエンゴムであるのが良い。エラストマー材料は、トラフコンポーネントの頂部の第１の区分の周囲に沿って設けられるべきであり、その結果、エラストマー材料を底部の第２の区分中への携帯電話の挿入後に交換する場合、このエラストマー材料は、電話上に延びてこれをケースのトラフコンポーネント内に固定することになる。エラストマー材料は、軟らかい感触を提供するとともにヒンジ機構体を隠すために（もしこれが望ましい場合）トラフコンポーネントの背部上にも施されるのが良い。
【００１８】
トラフコンポーネントの壁の頂部は、好ましくは、内方に突き出たリップを備え、その結果携帯電話は、トラフのベースとトラフコンポーネントの壁の頂部のところの内方に突き出たリップとの間に滑り込むことができ、その結果、携帯電話は、ベース、側壁およびトラフコンポーネントの内方に突き出たリップによって定位置にしっかりと保持されるようになる。
【００１９】
本発明は、任意のモバイル通信機器用のケースを提供するよう利用できる。ケースが壁を備えた締まり嵌めトラフである実施形態では、ケースのトラフコンポーネントの長さおよび深さは、これが使用されるべきモバイル通信機器の寸法および形状に従って選択される。エラストマー覆い材料は、使用される場合、好ましくは、０．５ｍｍから２ｍｍの厚さであり、より好ましくは０．７５ｍｍから１．７５ｍｍまでの厚さである。エラストマー層は、好ましくは、トラフコンポーネントの長手方向側部の少なくとも一部の外部上に、更に使用された場合に内方に突き出たリップを含むトラフコンポーネントの頂部のところの壁の外部上にも設けられる。本質的ではないが、エラストマー材料は、ケースに設けられていて携帯電話のボタン操作部への接近を可能にする位置（ポジション）を覆って設けられるのが良い。このように、ボタンは、適当な場所でエラストマー材料を押すことによって操作できる。代替的にまたは追加的に、ポートが携帯電話の動作ボタンへの接近を可能にするようエラストマー材料および／またはトラフコンポーネントの壁に設けられても良い。エラストマー材料がトラフコンポーネントの側壁上に採用される場合、ヒンジの動作により第１の区分を変位させてケースの第２の区分中への挿入を可能にするようヒンジ線の端のところでエラストマー材料に隙間が設けられるべきである。
【００２０】
コンポーネントおよび／またはアクセサリは、通常、より多くのスペースが存在するケースのベース内に配置されるが、ただし、表示器、例えばＬＥＤは、これらが通信機器のユーザに容易に見えることができるようにするようケースの側部に設けられるのが良い。
【００２１】
添付の図を参照して本発明を説明する。
【図面の簡単な説明】
【００２２】
【図１】潜在的に有害な放射と関連して是正信号の発生のためのコイルが埋め込まれた携帯電話用のケースを示す図である。
【図２】携帯電話のケースの一部としてアンテナとマイクロコントローラの両方を備えた別のシステムを示す概略回路図である。
【発明を実施するための形態】
【００２３】
図１は、携帯電話を差し込むことができるケースの平面図である。ケースは、ベース区分（１）、側壁（２），（３）および端壁（４），（５）を有する。ケースを開いて携帯電話の挿入を可能にするためにヒンジ（６）がベース区分（１）に設けられている。符号（７）は、ケースのベース区分（１）内に埋め込まれていて、潜在的に有害な放射に対する是正信号を発生させるコイルを示している。
【００２４】
図２は、携帯電話のコンポーネントをケース内にどのように配置すれば良いかおよび他のコンポーネントを携帯電話それ自体内にどのように配置すれば良いかを概略的に示すとともにコンポーネントをケース内でかつ携帯電話内で、更にケースと携帯電話との間でどのようにリンクさせれば良いかを概略的に示している。オプションとしてのコンポーネントおよび接続部が点線で示されている。
【図１】
2018521578.tif 000003
【図２】
2018521578.tif 000004
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
モバイル通信機器用のケースであって、前記ケースは、前記モバイル通信機器の１つまたは２つ以上のコンポーネントまたはアクセサリを収納し、前記コンポーネントは、是正信号を発生させるコイルを含む、ケース。
【請求項２】
前記コンポーネントは、前記モバイル通信機器によって放出された潜在的に有害な放射（radiation）の検出に用いられるアンテナを含む、請求項１記載のケース。
【請求項３】
前記コンポーネントは、前記ケースの操作を管理するマイクロコントローラである、請求項１または２記載のケース。
【請求項４】
前記コンポーネントは、データを捕捉するためのデータモジュールを含む、請求項１〜３記載のケース。
【請求項５】
前記コンポーネントは、バッテリまたは追加のバッテリを含む、請求項１〜４のうちいずれか一に記載のケース。
【請求項６】
前記ケースは、追加のコンポーネントとして表示装置を収納している、請求項５記載のケース。
【請求項７】
前記表示装置は、ＬＥＤである、請求項６記載のケース。
【請求項８】
前記モバイル通信機器は、携帯電話である、請求項１〜７のうちいずれか一に記載のケース。
【請求項９】
請求項１〜８のうちいずれか一に記載のケース内に収納された携帯電話。
【国際調査報告】
2018521578.tif 000005
2018521578.tif 000006